(57)【特許請求の範囲】
【請求項１】
建物外壁に沿って配設された竪樋と、
この竪樋に連通接続されたアンテナ樋と
を備え、
前記アンテナ樋は、
前記竪樋に同芯状に設けられた外側筒部と、
前記外側筒部に沿って設けられたスロットアンテナと、
前記外側筒部の内部に設けられて前記竪樋に連通接続されており、且つ前記竪樋の中心線に対し前記スロットアンテナのスロットとは反対側に偏芯した位置に設けられた排水筒部と
を有している
ことを特徴とするアンテナ樋の取付構造。
【請求項２】
前記外側筒部は、
前記アンテナが外周部に設けられた内筒体と、
前記内筒体の外側に同芯状に設けられた外筒体と
を備えている
ことを特徴とする請求項１記載のアンテナ樋の取付構造。
【請求項３】
前記排水筒部は、断面略楕円形状に形成されており、その長軸方向が前記外側筒部の断面中心線に沿うよう前記スロットとは反対側に偏心した位置に設けられている
ことを特徴とする請求項１又は請求項２のいずれかに記載のアンテナ樋の取付構造。
【発明の詳細な説明】
【技術分野】
【０００１】
本発明は、排水機能を有するアンテナであるアンテナ樋の取付構造に関する。
【背景技術】
【０００２】
従来、竪樋に取り付けられる竪樋取り付け用のアンテナが知られている（例えば特許文献１参照）。
【０００３】
この特許文献１記載のアンテナは、建物外壁に沿って配設された竪樋に対し、後付け的に取り付けられるものである。このアンテナは、２つの略矩形状の半体に分割された構造となっている。アンテナは、竪樋を挟むようにしてこの一対の略矩形状の半体が配置され、この状態で半体同士がねじ等の固着具を介して連結されることで取り付けられる。
【先行技術文献】
【特許文献】
【０００４】
【特許文献１】特開平０１−１６８１０１号公報
【発明の概要】
【発明が解決しようとする課題】
【０００５】
ところでこの特許文献１記載のアンテナは、略矩形状の半体から構成されており、竪樋に取り付けられると当該竪樋の側方に大きく膨出する。このため、この引用文献１記載のアンテナは、設置された状態では、外観上非常に目立つものであり、建物の外観を損なうおそれがあった。
【０００６】
本発明は、上記事情に鑑みてなされたものであり、その目的とするところは、竪樋に取り付けられても、外観上目立たないようにしながら、アンテナ性能の低下を防ぐことができるアンテナ樋の取付構造を提供することにある。
【課題を解決するための手段】
【０００７】
本発明のアンテナ樋の取付構造は、建物外壁に沿って配設された竪樋と、この竪樋に連通接続されたアンテナ樋とを備え、前記アンテナ樋は、前記竪樋に同芯状に設けられた外側筒部と、前記外側筒部に沿って設けられたスロットアンテナと、前記外側筒部の内部に設けられて前記竪樋に連通接続されており、且つ前記竪樋の中心線に対し前記スロットアンテナのスロットとは反対側に偏芯した位置に設けられた排水筒部とを有していることを特徴とする。
【０００８】
またこのアンテナ樋の取付構造において、前記外側筒部は、前記アンテナが外周部に設けられた内筒体と、前記内筒体の外側に同芯状に設けられた外筒体とを備えていることが好ましい。
【０００９】
またこのアンテナ樋の取付構造において、前記排水筒部は、断面略楕円形状に形成されており、その長軸方向が前記外側筒部の断面中心線に沿うよう前記スロットとは反対側に偏心した位置に設けられていることが好ましい。
【発明の効果】
【００１０】
本発明のアンテナ樋の取付構造によれば、竪樋に取り付けられても、外観上目立たないようにしながら、アンテナ性能の低下を防ぐことができることができる。
【図面の簡単な説明】
【００１１】
【図１】本実施形態のアンテナ樋の断面図である。
【図２】本実施形態のアンテナ樋の一部破断した斜視図である。
【図３】本実施形態のアンテナ樋の分解斜視図である。
【図４】本実施形態のアンテナ樋のアンテナの斜視図である。
【図５】本実施形態のアンテナ樋の給電部分周辺の斜視図である。
【図６】本実施形態のアンテナ樋のアンテナの斜視図である。
【図７】本実施形態のアンテナ樋の水平断面図であり、外筒体を透過している。
【図８】本実施形態のアンテナ樋の下接続体の分解斜視図である。
【図９】本実施形態のアンテナ樋の上接続体の分解斜視図である。
【図１０】本実施形態のアンテナ樋の集水部を示す斜視図であり、内筒体を透過した図である。
【図１１】図１０において回転部を取り付けた状態の斜視図である。
【図１２】本実施形態のアンテナ樋の上接続体近傍の断面図である。
【図１３】本実施形態のアンテナ樋の取付構造を示す概略図である。
【発明を実施するための形態】
【００１２】
以下、本発明の実施形態について添付図面に基づいて説明する。
【００１３】
本実施形態のアンテナ樋１は、図１３に示されるように、建物外壁９０に沿って配設された竪樋８の上下方向の一部が取り除かれ、その取り除かれた部分に取り付けられる。
【００１４】
なお以下必要に応じて、竪樋８の一部を切除した後の上流側に位置する筒状の樋を「上流側の竪樋９１」とし、竪樋８の一部を切除した後の下流側に位置する筒状の樋を「下流側の竪樋９２」として区別する。
【００１５】
アンテナ樋１は、電気機器などに接続されて、電波受信用のアンテナを構成する。具体的にアンテナ樋１は、例えば、ケーブル９３を介してテレビに接続されることで、テレビ用のアンテナとして用いられる。本実施形態のアンテナ樋１は、図１に示されるように、外筒体１７及び内筒体１１により構成された外側筒部１０と、この外側筒部１０に沿って設けられたアンテナ２と、外側筒部１０の内部に設けられた排水筒部１２とを備えている。またアンテナ樋１は、竪樋８に連通接続するための接続部４をさらに備えている。
【００１６】
ここで接続部４は、外側筒部１０の上端部及び下端部に設けられている。なおアンテナ樋１が排水溝のすぐ上方に取り付けられて下流側の竪樋９２に接続される必要がない場合には、接続部４は上端部側にのみ設けられていればよい。またアンテナ樋１が、集水器９５等に取り付けられて上流側の竪樋９１に接続されない場合には、接続部４は下端部側にのみ設けられていればよい。
【００１７】
以下必要に応じて、外側筒部１０の上端部に設けられた接続部４を上接続体４０とし、外側筒部１０の下端部に設けられた接続部４を下接続体５０として区別する。
【００１８】
外側筒部１０は、アンテナ２が外周部１６に設けられた内筒体１１と、この内筒体１１の外側に同芯状に設けられた外筒体１７とを備えている。
【００１９】
内筒体１１は、非導電性の合成樹脂により形成された丸樋である。内筒体１１は、図３に示されるように、上端の開口縁に側面視Ｕ字状の上位置決め溝１３が設けられている。また内筒体１１は、下端の開口縁に側面視逆Ｕ字状の下位置決め溝１４が設けられている。
【００２０】
上位置決め溝１３は、上接続体４０の集水部１５に設けられた上位置決め凹所１５２及びアンテナ２に設けられた上嵌入溝２５２と同位置に配置される。上位置決め溝１３は、上位置決め凹所１５２及び上嵌入溝２５２と同位置に配置された状態で、取付部材７の上端から突設された位置決め突起（図示せず）が挿入される。これにより、アンテナ２と内筒体１１と集水部１５とは、周方向に相互に位置決めされて、一体化される。
【００２１】
また下位置決め溝１４は、下接続体５０の下位置決め凹所５７及びアンテナ２の下嵌入溝２５１と同位置に配置される。下位置決め溝１４は、下位置決め凹所５７及び下勧誘溝２５１と同位置に配置された状態で、取付部材７の下端から突設された位置決め突起（図示せず）が挿入される。これにより、アンテナ２と内筒体１１と下接続体５０とは、周方向に相互に位置決めされて、一体化される。
【００２２】
外筒体３は、図３に示されるように、円筒状に形成されている。外筒体３は、その内径が、内筒体１１よりも大きくなるよう形成されている。外筒体３は、その中心軸が、内筒体１１の中心軸と同軸上に位置するよう配置される。これにより外筒体３は、内筒体１１及びアンテナ２を外側から覆うよう設けられている。外筒体３は、非導電性の合成樹脂により構成されている。外筒体３は、図７に示されるように、その側壁の外面に、上下方向に連続する突条３１が突設されている。本実施形態の突条３１は、外筒体３の上下方向の略全長に亘って設けられている。この突条３１は、水平断面において、後述のアンテナ２のスロット２１に対し、中心軸を中心として略対称の位置に配置される。言い換えると突条３１は、中心軸を挟んでアンテナ２のスロット２１とは反対側に位置している。
【００２３】
外筒体３は、内筒体１１の外側に取り付けられると、アンテナ２を外側から覆う。このため、施工者は、アンテナ樋１を外壁９０に設置する際、アンテナ２の受信方向が認識できなくなってしまう。ところが本実施形態では、この突条３１が、常にアンテナ２の受信方向とは反対側に位置するため、施工者はアンテナ２の受信方向を把握することが可能となっている。つまりこの突条３１は、アンテナ２の送受信方向を把握するための視認手段３２を構成する。
【００２４】
アンテナ２は、内筒体１１の外周部１６に設けられている。アンテナ２は、内筒体１１の外周部１６に積層され、又は当該外周部１６の肉厚内に埋め込まれる。本実施形態のアンテナ２は、図２に示されるように、内筒体１１の外周部１６に沿うよう外側から重ねられて、取付部材７により固定される。アンテナ２は、導電性を有する金属板材（金属箔も含まれる）により構成されている。アンテナ２は、図４に示されるように、縦長矩形状の金属板材を短辺方向がＣ字状となるよう長辺方向に一様に湾曲させることで形成される。
【００２５】
アンテナ２は、上下方向に複数のスロット２１が形成されたスロットアンテナ２０により構成されている。すなわち本実施形態のアンテナ２は指向性を有している。アンテナ２は、このスロット２１が上下方向に複数並設されており（本実施形態では２箇所）、隣接するスロット２１同士がスリット状の細溝２２で接続されている。アンテナ２は、各スロット２１が周方向の一部に位置している。各スロット２１は、金属板材の厚み方向に貫通する開口により構成されており、一対の三角形の頂点同士を互いに突き合わせたようなボウタイ状に形成されている。上方側のスロット２１は、上下方向の略中央部分に給電部２３を有している。本実施形態の給電部２３は、周方向に対向する三角状片２４の頂点部分により構成されている。
【００２６】
給電部２３には、図５に示されるように、同軸ケーブル７５が電気的に接続される。同軸ケーブル７５は、中央の線が一方の三角状片２４に接続され且つ外側の網線が他方の三角状片２４に接続される。同軸ケーブル７５は、アンテナ２により受信した電波を、室内側のテレビ等に出力する。同軸ケーブル７５は、第一端が給電部２３に接続され、第二端が、上接続体４０に設けられた接続具４２２に接続される（図３，１１参照）。
【００２７】
本実施形態のアンテナ２は、図４に示されるように、第一の周波数帯（例えば４７３〜６００ＭＨｚ）の電波を受信する第一の受信部２６と、第二の周波数帯（例えば６００〜７２０ＭＨｚ）の電波を受信する第二の受信部２７とを有している。
【００２８】
第一の受信部２６は、スロット２１及び当該スロット２１の開口周縁部により構成される。第二の受信部２７は、このスロット２１に上下方向に隣接する周方向に連続した金属板材により構成される。
【００２９】
第一の受信部２６を構成するスロット２１の上下方向の長さは、前記第一の周波数帯内の電波の電気的な半波長の長さに応じて決定される。また、第二の受信部２７の周方向の長さは、前記第二の周波数帯内の電波の電気的な半波長の長さに応じて決定される。
【００３０】
またアンテナ２は、図６に示されるように、周方向の両端間に、上下方向の全長に亘って隙間２８が形成される。この隙間２８は、スロット２１に対向する位置に設けられ、すなわちアンテナ２の円弧中心を挟んで、スロット２１とは対極の位置となるように形成される。
【００３１】
またアンテナ２は、スロット２１の背部に抜き部２９が形成されている。抜き部２９は、金属板材が存在しない部分であって、正面から見てスロット２１と重なる位置に設けられている。抜き部２９は、上下方向の長さがスロット２１の上下方向の長さよりも長く、且つ周方向の長さがスロット２１の周方向の長さよりも長く形成されている。
【００３２】
このアンテナ２は、図３に示されるように、金属板材に非導電性の保護シート２５が積層されている。このため本実施形態のアンテナ２は、この保護シート２５により錆の発生が抑制される。アンテナ２は、保護シート２５の下端部に、下接続体５０の下位置決め凹所５７と重なる位置に配置される下嵌入溝２５１を有している。この下嵌入溝２５１は、スロット２１に対応する位置に設けられており、具体的には、略同位相の位置に設けられている。またアンテナ２は、保護シート２５の上端部に、上接続体４０の集水部４１の上位置決め凹所４１２と同位置に配置される上嵌入溝２５２を有している。
【００３３】
なお、アンテナ２としては、保護シート２５が積層されない金属板材のみにより構成されたものであってもよい。
【００３４】
このような構成のアンテナ２は、図２に示されるように、湾曲して内向する裏面が、内筒体１１の外周部１６に当接した状態で取り付けられる。言い換えると、アンテナ２は、排水路の外側に設けられている。アンテナ２は、内筒体１１の外周部１６に巻き付けられた状態で、その外側から取付部材７により押さえられて固定される。
【００３５】
取付部材７は、図３に示されるように、平面視円環状に形成されている。取付部材７は、第１の部材７１と、第２の部材７２とに分割され、これらが着脱自在に連結される。取付部材７は、図５に示されるように、給電部２３において同軸ケーブル７５の端部を保持・固定する給電固定部７３と、同軸ケーブル７５の中間部分を保持するケーブル保持部７４とを備えている。ケーブル保持部７４は、スロット２１とは周方向にずれた位置に設けられている。これによりケーブル保持部７４は、スロット２１に同軸ケーブル７５が重なるのを防ぐ。
【００３６】
排水筒部１２は、内筒体１１の内部に配置される。排水筒部１２は、上流側の竪樋９１に連通接続されると共に下流側の竪樋９２に連通接続される。排水筒部１２は、図３に示されるように、断面略楕円形状の筒体により構成されている。排水筒部１２は、非導電性の合成樹脂により構成されている。
【００３７】
排水筒部１２は、図７に示されるように、その長軸方向が内筒体１１の断面中心線に沿うよう配置され、且つ内筒体１１内においてスロット２１とは反対側に偏心した位置に設けられている。言い換えると、排水筒部１２は、内筒体１１のスロット２１側の内側面との間に一定以上の間隙を介して固定されており、スロット２１や給電部２３とは離れた位置に配置されている。排水筒部１２は、外側筒部１０の内部に、下接続体５０及び上接続体４０を介して固定されている。
【００３８】
下接続体５０は、外側筒部１０の下端に固定されている。本実施形態の下接続体５０は、図８に示されるように、外側筒部１０及び排水筒部１２の両者に固定されて、外側筒部１０及び排水筒部１２と共に回転する回動体５１と、これらを回転自在に支持する固定側の保持体６０との少なくとも２部材を備えている。
【００３９】
回動体５１は、保持体６０に中心軸廻りに回動自在に支持されている。回動体５１は、排水筒部１２と内筒体１１と外筒体３とを固着一体化し、建物外壁９０に固定された竪樋８に対して、排水筒部１２と内筒体１１と外筒体３とを共通して回転可能とさせる。
【００４０】
回動体５１は、排水筒部１２が連通接続される嵌合部５４を有している。回動体５１は、雨水を外部に排出する流出口５６を有している。回動体５１は、嵌合部５４と流出口５６とを連通する流出路５５を有している。
【００４１】
嵌合部５４は、中心から偏心した位置に設けられている。嵌合部５４は、下位置決め凹所５７とは反対側に片寄った位置に設けられている。言い換えると、嵌合部５４は、アンテナ２のスロット２１とは反対側に偏芯して設けられている。一方、流出口５６は、中心に設けられている。このため、流出路５５は、下方ほど中央側に位置するよう傾斜した流路を有している。
【００４２】
保持体６０は、回動体５１を回動自在に支持する。言い換えると保持体６０は、外側筒部１０及び排水筒部１２を中心軸廻りに回動自在に支持する。保持体６０は、建物外壁９０に樋控え具８０を介して固定される外郭部６１と、回動体５１を回転自在に保持するレール部６３とを備えている。
【００４３】
外郭部６１は、円筒状に形成されている。外郭部６１は、その上端に、フランジ状に径外方向に突出した自重受け突部６２を有している。この自重受け突部６２は、図２に示されるように、外郭部６１を保持する樋控え具８０の上端に当接する。これにより保持体６０は、樋控え具８０によって下方にずれないように保持される。自重受け突部６２は、外郭部６１の周方向の全長に亘って形成されている。
【００４４】
下接続体５０は、下流側の竪樋９２に排水筒部１２を連通接続する。本実施形態の下接続体５０は、保持体６０が下流側の竪樋９２に固定的に取り付けられる。このため、外側筒部１０及び排水筒部１２は、下流側の竪樋９２に対して回動自在となっている。
【００４５】
上接続体４０は、図９に示されるように、集水部４１と、回転部４２と、カバー部４３と、ロック部４４とを備えている。上接続体４０は、カバー部４３が、上方に開口する流入口４５を有している。流入口４５は、排水筒部１２の内部に連通し、つまり流出口５６に連通している。
【００４６】
集水部４１は、上流側の竪樋９１から流出した雨水を集水して、排水筒部１２内に流通させる。集水部４１は、図１０に示されるように、内筒体１１の上端に固定される第１の固定部４１０と、排水筒部１２の上端に固定される第２の固定部４１１とを備えている。集水部４１は、第１の固定部４１０と内筒体１１とが連結され、第２の固定部４１１と排水筒部１２とが連結されることで、内筒体１１に排水筒部１２を固定する。
【００４７】
集水部４１は、内筒体１１の上端縁の上位置決め溝１３と同位置に配置される上位置決め凹所４１２が設けられている。上位置決め凹所４１２と上位置決め溝１３とアンテナ２の上嵌入溝２５２とが重なった状態で、この上位置決め凹所４１２内に、取付部材７の位置決め突起が嵌入する。
【００４８】
回転部４２は、外側筒部１０の中心軸廻りに回転自在に設けられている。回転部４２は、図１１に示されるように、接続具４２２を取り付けるために設けられた膨出部４２０を有している。膨出部４２０は、外側筒部１０の外周部よりも側方に膨出している。回転部４２は、外側筒部１０の中心軸を中心とした弧状の長孔により構成されたケーブル取出用孔４２１を有している。このケーブル取出用孔４２１は、上下方向に貫通しており、アンテナ２に接続された同軸ケーブル７５が挿通される。
【００４９】
回転部４２は、同軸ケーブル７５のアンテナ２側とは反対側の端部に接続された接続具４２２が取り付けられている。接続具４２２は、膨出部４２０の上方から挿通され、膨出部４２０の下面から下方に突出している。これにより接続具４２２は、外部に露出している。
【００５０】
カバー部４３は、回転部４２を覆うよう構成されている。カバー部４３は、図９に示されるように、その天面部４３１に流入口４５が設けられている。流入口４５は、上流側の竪樋９１（筒状の樋）の外径よりも大きく形成されており、この上流側の竪樋９１に回動自在に遊嵌される。流入口４５は、その外周縁に、下方に向けて突設された周縁突起４３２を有している。この周縁突起４３２は、集水部４１の上方の開口の内側に位置するよう構成されている。これにより流入口４５は、集水部４１の上方の開口に接続される。カバー部４３は、その側壁が回転部４２の外周縁のすぐ外側に位置するよう構成されており、これにより、回転部４２を内部に収容した状態で着脱自在に取り付けられる。
【００５１】
ロック部４４は、回転部４２の回転を、外側筒部１０の中心軸廻りの任意の位置でロックする。ロック部４４は、平面視円環状をしており、流入口４５内に回転自在となるよう設けられる。ロック部４４は、図９に示されるように、カバー部４３の上端に当接する鍔部４４１と、鍔部４４１の内周縁から下方に向けて突設された内側片４４２とを備えている。内側片４４２は、径外方向に突出する突起４４３を有している。
【００５２】
ロック部４４は、集水部４１に、回転部４２及びカバー部４３を固定することで、当該回転部４２及びカバー部４３の回転をロックする。ここで集水部４１は、図９に示されるように、その側面に、上方に向けて凸となった複数の嵌合凸部４１３が設けられている。また集水部４１は、その内側面に、ロック部４４の内側片４４２の突起４４３と係合するガイド突条４１４が設けられている。回転部４２は、集水部４１との対向面に、下方に開口する複数の嵌合凹部４２３が設けられている。
【００５３】
ロック部４４は、図１２に示されるように、内側片４４２の突起４４３が、集水部４１のガイド突条４１４にガイドされることで、カバー部４３を鍔部４４１を介して下方に押圧し、この状態で保持する。すると、集水部４１の嵌合凸部４１３と、回転体の嵌合凹部４２３とが嵌合し、この状態で保持される。これによりロック部４４は、回転部４２の回転を任意の回転位置で規制する。
【００５４】
以上のような構成のアンテナ樋１は、図１３に示されるように、建物の外壁９０に沿って設置された竪樋１００の一部を構成する。
【００５５】
軒樋９４には集水器９５が設けられており、集水器９５には、第１のエルボ９６を介して呼び樋９７が接続されている。呼び樋９７には、第２のエルボ９８を介して上流側の竪樋９１が接続されている。上流側の竪樋９１は、その下方に離間して下流側の竪樋９２が設けられている。下流側の竪樋９２は、下流側の端部が排水溝に連通接続されている。アンテナ樋１は、上端部が上接続体４０を介して上流側の竪樋９１の下端に接続され、下端部が下接続体５０を介して下流側の竪樋９２の上端に接続される。
【００５６】
なお、上流側の竪樋９１及び下流側の竪樋９２は、端部が樋控え具９９を介して外壁９０に固定されている。また、本実施形態のアンテナ樋１は、非導電性樹脂により形成された樋控え具８１により固定されている。このように、本実施形態のアンテナ樋１は、設置されると、建物の外壁９０に沿って設置された竪樋の一部を構成する。
【００５７】
本実施形態のアンテナ樋１を設置するには、施工者は、上接続体４０の流入口４５に上流側の竪樋９１の下端を奥まで挿入し、下接続体５０を下流側の竪樋９２に接続する。この後、下接続体５０を樋控え具８０を介して外壁９０に固定する。
【００５８】
この状態のアンテナ樋１は、下方にずれないように且つ上流側の竪樋９１に対し回動自在となるよう外壁９０に支持されている。
【００５９】
次いで施工者は、アンテナ２が放送電波を最も強く受信できるよう、アンテナ樋１を上流側の竪樋９１及び下流側の竪樋９２に対して回動させる。このときアンテナ樋１は、固定された下接続体５０の保持体６０に対し、外側筒部１０及び排水筒部１２が回動自在であるため、施工者はアンテナ２の向きを微調整することができる。微調整後、施工者は、アンテナ樋１の上端部を、別の樋控え具８０により固定する。
【００６０】
次に施工者は、アンテナ樋１の上接続体４０を回転させて、膨出部４２０を建物外壁９０に沿わせる。そして、施工者は、ロック部４４を回転させて、上接続体４０の回転をロックする。
【００６１】
本実施形態のアンテナ樋１は、排水性能を備えるアンテナである。つまり、従来は屋根の上にアンテナを設置していたが、本実施形態の雨樋によれば、竪樋８と一体化させることができ、建物外観を向上させることができる。
【００６２】
また本実施形態のアンテナ樋１は、排水筒部１２がスロットアンテナ２０のスロット２１とは反対側に偏芯する位置に設けられているため、排水筒部１２を流れる雨水がアンテナ２に悪影響を与えてしまうのを防ぐことができる。
【００６３】
また本実施形態のアンテナ樋１の取付構造は、排水筒部１２がアンテナ２のスロット２１から離れるようにして偏芯して配置されているが、外側筒部１０が、建物外壁９０に沿って配設された竪樋８に同芯状に配設されている。このため、アンテナ２の性能の低下を防ぎながら、外観上目立たないようにすることができる。
【００６４】
特に、本実施形態の外側筒部１０は、円筒状に形成されているため、竪樋８に同芯状に配置されることで、一層目立たないようにすることができる。
【００６５】
また本実施形態のアンテナ樋１の取付構造は、外側筒部１０が内筒体１１と外筒体１７とを備えており、２重筒となっている。このため、内筒体１１と外筒体１７との間にアンテナ２を配置することができて、アンテナ２が外部に露出しないようにすることができる。
【００６６】
また本実施形態のアンテナ樋１の取付構造は、排水筒部１２が、断面略楕円形状に形成されており、その長軸方向が外側筒部１０の断面中心線に沿うようスロット２１とは反対側に偏心した位置に設けられている。このため、排水筒部１２の流量を一定以上に確保しながら、外側筒部１０の外周部１６に設けられたスロットアンテナ２０のスロット２１と、排水筒部１２との間に一定以上の隙間を形成することができる。
【００６７】
また本実施形態のアンテナ樋１は、排水筒部１２が断面略楕円形状に形成されているため、落ち葉やゴミなどを詰まりにくいものとすることができる。
【００６８】
また本実施形態のアンテナ樋１は、竪樋８に接続するための接続部４を備えている。このため、排水性能を有するアンテナとして、ユニット化することができる。これにより、施工者の技量に寄らず建物に簡単に取り付けることができ、施工後の仕上がりを一定以上のものとすることができる。
【００６９】
なお本実施形態の雨樋は、新たに竪樋を施工する際に取り付けられてもよいし、既に設置された竪樋の一部を切除して、後付け的に取り付けられてもよい。
【符号の説明】
【００７０】
１      アンテナ樋
１０    外側筒部
１１    内筒体
１２    排水筒部
１６    外周部
１７    外筒体
２      アンテナ
２０    スロットアンテナ
２１    スロット
４      接続部
４０    上接続体
４１    集水部
４２    回転部
４２０  膨出部
４２２  接続具
４３    カバー部
４４    ロック部
４５    流入口
５０    下接続体
５１    回動体
５６    流出口
６０    保持体
６２    自重受け突部
７      取付部材
８      竪樋
８１    樋控え具
９０    外壁
９１    上流側の竪樋
９２    下流側の竪樋
９３    ケーブル
９４    軒樋
９５    集水器
９７    呼び樋
【図１】
0005524928.tif 000002
【図２】
0005524928.tif 000003
【図３】
0005524928.tif 000004
【図４】
0005524928.tif 000005
【図５】
0005524928.tif 000006
【図６】
0005524928.tif 000007
【図７】
0005524928.tif 000008
【図８】
0005524928.tif 000009
【図９】
0005524928.tif 000010
【図１０】
0005524928.tif 000011
【図１１】
0005524928.tif 000012
【図１２】
0005524928.tif 000013
【図１３】
0005524928.tif 000014